【手続補正書】
【提出日】平成17年2月3日(2005.2.3)
【手続補正１】
【補正対象書類名】明細書
【補正対象項目名】全文
【補正方法】変更
【補正の内容】
【書類名】      明細書
【発明の名称】  鍵
【特許請求の範囲】
【請求項１】  笛の機能を備えたことを特徴とする鍵。
【請求項２】  キー本体部に中空部及び吹き口を有し音響を発する笛部が備えられることを特徴とする鍵。
【請求項３】  操作つまみ部に中空部及び吹き口を有し音響を発する笛部が備えられることを特徴とする鍵。
【請求項４】  前記笛部の発する音響は、人の可聴周波数帯域及び又は犬の可聴周波数帯域の所定周波数帯に設定されることを特徴とする請求項１〜３のいずれか１つに記載の鍵。
【発明の詳細な説明】
【０００１】
【発明の属する技術分野】
本発明は、住宅などの玄関ドアに配設される錠に対して施解錠などを行うとともに、常時携帯される鍵に関するものである。
【０００２】
【従来の技術】
震災などの災害が発生し、その災害に巻き込まれたり、事故などに遇い、身動きが取れなくなった場合には、通常、声を発して救助を求めるが、容易に声を発することが不可能な場合もある。
【０００３】
このような不測の事態に遭遇した際に、声を発する替わりに音を発して、外部に知らせることが考えられるが、容易に音を発する手段として、近年、笛を使用することが考えられている。
【０００４】
この笛による音を発する方法は、発声するよりも少ない消費エネルギー、すなわち吐息にても音を発することが可能であることから、救助を求める手段として手軽な方法とされている。
【０００５】
【発明が解決しようとする課題】
ところが、上述した救助を求める手段としての笛は、災害時の非常携行品、所謂防災グッズとして非常食糧等と一緒に備蓄され、すなわち災害発生後に携帯する品目とされることが多く、災害遭遇時に所持していることがないという欠点がある。
【０００６】
そのため、災害遭遇時に、上述したような被災者が救助を求めることが可能な効果を得ることができず、この被災者の捜索及び救助を迅速に行えずに、手遅れになるおそれのある欠点を有している。
【０００７】
そこで本発明は、上記欠点を解消するために、震災などの災害に遭遇した際や緊急時に、外部への救助を求めることが可能となり、なおかつ、常時携帯可能となる構成の鍵を提供することを目的としている。
【０００８】
【課題を解決するための手段】
次に、上記の課題を解決するための手段を、実施の形態に対応する図面を参照して説明する。
この発明の鍵１は、笛の機能を備えたことを特徴としている。
【０００９】
なお、キー本体部２に中空部３及び吹き口４を有し音響を発する笛部６を備える構成や、操作つまみ部８に中空部３及び吹き口４を有し音響を発する笛部６を備える構成とされる鍵としてもよい。
【００１０】
また、前記笛部６の発する音響は、人の可聴周波数帯域及び又は犬の可聴周波数帯域の所定周波数帯に設定される構成としてもよい。
【００１１】
このような構成によれば、住宅などの玄関扉に備えられている錠を施解錠するために所持する鍵１が、音響を発する笛の機能を有する構成となるので、例えば、不測の事態が発生し、災害などに遭遇した際には、この鍵１に付加された音響を発する笛の機能を用いることで、外部に救助等を求めることが可能となる。
【００１２】
【発明の実施の形態】
次に、本発明の鍵の具体的な構成について各実施の形態毎にそれぞれ説明する。
なお、以下に説明する各実施の形態において、同一又は同等の構成部分については同一番号を付して説明する。
【００１３】
第１の実施の形態
図１は本発明による第１の実施の形態の鍵を示す斜視図である。
【００１４】
この第１の実施の形態である鍵１は、図１に示すように、キー本体部２が、断面円形の軸状に形成される鍵であり、その先端２ａ側が略管状となるように中空部３が形成され、先端が開口して吹き口４とされている。
【００１５】
また、キー本体部２の先端２ａ側の側面には、中空部３に貫通する孔５が穿設されており、すなわち、このキー本体部２の先端２ａに笛部６が構成されている。
【００１６】
そして、鍵１のキー本体部２の先端の吹き口４より吹くことで、この笛部６は音響が発生する。
【００１７】
発生する音響の周波数帯は、人の可聴周波数帯域と犬の可聴周波数帯域、またはこれら可聴周波数帯域のいずれかに設定されるように、この笛部６が形成されている。
【００１８】
この実施の形態の鍵１によれば、住宅の玄関などの、錠に対して施解錠を行う機能を有するものであることから、この鍵１を使用する者は、この鍵１を常時所持することとなり、これにより、不測の事態が発生し、災害などに遭遇した際には、この鍵１に付加された音響を発する笛の機能を用いることで、外部に救助等を求めることが可能となる。
【００１９】
また、人の可聴周波数帯域の音響が発することから、緊急時の外部への発信も可能であり、護身用に用いることも可能である。
【００２０】
第２の実施の形態
次に、第２の実施の形態の鍵１は、略板状に形成される鍵１であり、図２に示すように、鍵本体１ａと、ホルダー部７とで構成されている。
【００２１】
鍵本体１ａのキー本体部２は、縁部分が、例えば凹凸状に切欠されて所定の形状のきざみが形成されている、または、縁部分にマグネットが埋め込まれて形成されている等、シリンダー錠に対して施解錠を行えるようになっている。
【００２２】
また、鍵本体１ａの操作つまみ部８は、キー本体部２より拡幅な略矩形板状に形成されている。
【００２３】
ホルダー部７は、鍵本体１ａの操作つまみ部８の表裏面及び周囲を覆うような略箱状に形成されている。
【００２４】
このホルダー部７は、図３に示すように、本体９と蓋部１０とで構成され、本体９には、前記操作つまみ部８が嵌入する凹陥部９ａが形成されている。
また、この本体９の一部には、中空部３と吹き口４、及び孔５が形成されて笛部６が構成されている。
【００２５】
そして、ホルダー部７の本体９に操作つまみ部８を嵌入させ、蓋部１０を固着させることで、このホルダー部７と鍵本体１ａとが一体に成型されるようになり、これにより、鍵１の操作つまみ部８に笛部６の機能が備わることとなり、吹き口４より吹くことで、この笛部６は音響が発生する。
【００２６】
なお、笛部６の発生する音響の周波数帯は、前述した第１の実施の形態と同様に、人の可聴周波数帯域と犬の可聴周波数帯域、またはこれら可聴周波数帯域のいずれかに設定されるように、この笛部６が形成されている。
【００２７】
この第２の実施の形態の鍵１によれば、前記第１の実施の形態と同様に、住宅の玄関などの、錠に対して施解錠を行う機能を有するものであることから、この鍵１を使用する者は、この鍵１を常時所持することとなり、これにより、不測の事態が発生し、災害などに遭遇した際には、この鍵１に付加された音響を発する笛の機能を用いることで、外部に救助等を求めることが可能となり、また、人の可聴周波数帯域の音響が発することから、緊急時の外部への発信も可能であり、護身用に用いることも可能である。
【００２８】
また、この第２の実施の形態の鍵１によれば、笛部６が形成されるホルダー部７を、鍵本体１ａに対して、後加工にて容易に取り付けられる構造とされることから、既存の鍵（鍵本体）などに対して、その操作つまみ部分に対して容易に笛部６を有したホルダー部７を取り付けることが可能であることから、簡単に笛の機能を付加させることが可能である。
【００２９】
なお、この第２の実施の形態の鍵１によれば、上記したように、既存の鍵本体１ａに対して容易に笛の機能を付加できる構成であることから、この笛部６となるホルダー部７を合成樹脂などにて成型させることで、容易に鍵本体１ａへの取り付けが行える構造を得ることができ、また、このホルダー部７を合成樹脂製とすれば、その表面部分に所望の意匠を容易に施すことが可能となり、笛としての機能に加えデザイン性も得られることとなる。
【００３０】
また、上述した例では、鍵本体１ａとホルダー部７とで別体構成とした例について述べたが、一体成型される構造としてもよく、この場合は、操作つまみ部８の一部に中空部３及び吹き口４が形成されて笛部６となるよう構成される。
【００３１】
第３の実施の形態
次に、第３の実施の形態の鍵１は、図４に示すように、鍵本体１ａと笛部６とで構成されている。
【００３２】
鍵本体１ａは、キー本体部２の形状が、前述した第２の実施の形態と同様に、縁部分が、例えば凹凸状に切欠されて所定の形状のきざみが形成されている、または、縁部分にマグネットが埋め込まれて形成されている。
【００３３】
また、鍵本体１ａの操作つまみ部８は、キー本体部２より拡幅な略矩形板状に形成されているとともに、図５に示すように、略矩形の凹部１１が、鍵本体１ａの長手方向と同方向に形成されて、略コ字状に形成されている。
【００３４】
笛部６は、図５に示すように、盲端を有した略筒状に形成され、中空部３を構成し、開口部分が吹き口４とされ、また、側面の中途部に孔５が穿設されている。
【００３５】
また、この笛部６には、外側周面に、軸線方向に沿う凹溝１２が一対形成されている。
そして、この笛部６は、鍵本体１ａの凹部１１の対向する縁部１１ａが、各凹溝１２に嵌合して取り付けられ固定されるようになっており、すなわち、鍵本体１ａの操作つまみ部８に笛部６が設けられる構造となっており、吹き口４より吹くことで、この笛部６は音響が発生する。
【００３６】
なお、笛部６の発生する音響の周波数帯は、前述した第１，第２の実施の形態と同様に、人の可聴周波数帯域と犬の可聴周波数帯域、またはこれら可聴周波数帯域のいずれかに設定されるように、この笛部６が形成されている。
【００３７】
従ってこのように構成された第３の実施の形態の鍵１では、前述した第１，第２の実施の形態と同様に、住宅の玄関などの、錠に対して施解錠を行う機能を有するものであることから、この鍵１を使用する者は、この鍵１を常時所持することとなり、これにより、不測の事態が発生し、災害などに遭遇した際には、この鍵１に付加された音響を発する笛の機能を用いることで、外部に救助等を求めることが可能となり、また、人の可聴周波数帯域の音響が発することで、緊急時の外部への発信も可能であり、護身用に用いることも可能である。
【００３８】
なお、この第３の実施の形態の鍵１によれば、笛部６の操作つまみ部８への取付状態が、鍵本体１ａの長手方向に沿って取り付けられている構造の例とされているが、この操作つまみ部８への取付状態は、これに限ることはなく、鍵本体１ａの長手方向に対して斜めに設けられたり、また図６に示すように直交する方向としてもよい。
【００３９】
また、上述した例では、鍵本体１ａと笛部６とを別体構成とした例について述べたが、一体成型される構造としてもよく、この場合は、操作つまみ部８の一部に中空部３及び吹き口４が形成されて笛部６となるよう構成される。
【００４０】
第４の実施の形態
次に、第４の実施の形態である装身具は、ネクタイピン１５Ａよりなる。
【００４１】
この装身具としてのネクタイピン１５Ａは、図７に示すように、表出する装飾部１６と、ネクタイを側方より挟持またはネクタイの生地を貫通する保持部１７とで構成されており、装飾部１６に、中空部３と吹き口４とが形成された例えば管形状の笛部６が構成され、すなわち装飾と笛の機能とを兼ね備えた構造となっている。
【００４２】
そして、装飾部１６における吹き口４より吹くことで、この笛部６は音響が発生する。
【００４３】
なお、発生する音響の周波数帯は、上述した各実施の形態と同様に、人の可聴周波数帯域と犬の可聴周波数帯域、またはこれら可聴周波数帯域のいずれかに設定されるように、この笛部６が形成されている。
【００４４】
このネクタイピン１５Ａによれば、装身具として通常使用されるものであることから、外出等の際には、このネクタイピン１５Ａを装着することとなり、すなわち、常時身につける状態となる。このことから、上記各実施の形態と同様に、不測の事態が発生し、災害などに遭遇した際には、このネクタイピン１５Ａに付加された音響を発する笛の機能を用いることで、外部に救助等を求めることが可能となり、また、人の可聴周波数帯域の音響を発することから、緊急時の外部への発信も可能であり、護身用に用いることも可能である。
【００４５】
なお、この第４の実施の形態では、ネクタイピン１５Ａの装飾部１６に笛部６を構成した例としたが、この装飾部１６に構成される笛部６を、ネクタイピン本体に対して、一体となる構造として成型し、すなわち製造時に予め笛部６が構成される構造としてもよく、また、ネクタイピン本体に対して後付け加工にて笛部６が取り付けられる構成としてもよい。
この後付け加工にて取り付けられる構成とした場合には、既存のネクタイピンに対して笛部６の機能を追加させる構造とすることが可能である。
【００４６】
また、ネクタイピン本体に対して笛部６が着脱自在となる構造としてもよい。
この着脱自在な構造とすれば、身に付けているネクタイピンに対して、笛部６のみを取り外して、この笛部６を使用できることとなる。
【００４７】
第５の実施の形態
次に、第５の実施の形態である装身具は、腕時計１５Ｂよりなる。
【００４８】
この装身具としての腕時計１５Ｂは、図８に示すように、腕時計本体１８と、この腕時計本体１８に接続される例えば金属製のピース部材を連結したメタルバンド１９とで構成され、このメタルバンド１９の留め金部２０に、中空部３と吹き口４及び孔５が形成された例えば略管形状の笛部６が構成されており、すなわち腕への装着の機能と笛の機能とを兼ね備えた構造となっている。
【００４９】
そして、留め金部２０に構成される笛部６の吹き口４より吹くことで、この笛部６は音響が発生する。
【００５０】
なお、発生する音響の周波数帯は、上述した各実施の形態と同様に、人の可聴周波数帯域と犬の可聴周波数帯域、またはこれら可聴周波数帯域のいずれかに設定されるように、この笛部６が形成されている。
【００５１】
この腕時計１５Ｂによれば、時刻を知るために通常腕に装着して使用される装身具であることから、外出等の際には、この腕時計１５Ｂを装着することとなり、すなわち、常時身につける状態となる。このことから、上記各実施の形態と同様に、不測の事態が発生し、災害などに遭遇した際には、この腕時計１５Ｂに付加された音響を発する笛の機能を用いることで、外部に救助等を求めることが可能となり、また、人の可聴周波数帯域の音響を発することから、緊急時の外部への発信も可能であり、護身用に用いることも可能である。
【００５２】
なお、この第５の実施の形態では、腕時計１５Ｂのバンドの留め金部２０に笛部６を構成した例としたが、この留め金部２０に構成される笛部６を、留め金部２０と一体となる構造として成型し、すなわち製造時に予め笛部６が構成される構造としてもよく、また、留め金部２０に対して後付け加工にて取り付けられる構成としてもよい。
この後付け加工にて取り付けられる構成とした場合には、既存の留め金部２０に対して笛部６の機能を追加させる構造とすることが可能である。
【００５３】
また、バンドの留め金部２０、またはバンド１９に対して笛部６が着脱自在となる構造としてもよく、例えば、既存の腕時計のバンドに取り付けられるカレンダー（暦）が印刷された板状部材などに、笛の機能を付加させる構造としてもよい。
このような着脱自在な構造とすれば、腕（身）に付けている腕時計に対して、笛部６のみを容易に取り付け、また取り外すことが行え、笛部６を取り外すことでこの笛部６を使用できることとなる。
【００５４】
なお、上述した装身具１５Ａ，１５Ｂの各実施の形態の他に、装身具としては、指輪やペンダント、ブローチ、ピアス、ブレスレット、バングル、髪止め、スカーフ止めなど宝飾品などとしてもよく、さらには服装のボタンやズボン用のベルト、帽子のつば部分、カフス、眼鏡、財布、扇子、懐中時計、ライターなどとしてもよく、これら種々の装身具の場合も、装身具本体の一部に、中空部３と吹き口４とを備えた笛部６を、例えば一体に形成される構造や、後付け加工にて取り付ける構造、着脱自在な構造などとし、装身具としての機能に音響を発する笛の機能を付加する構成とする。
【００５５】
これにより、上記各実施の形態と同様に、吹き口４より吹くことで、音響が発生することとなり、通常身につける各種装身具が、不測の事態が発生し、災害などに遭遇した際には、これら各種装身具に付加された音響を発する笛の機能を用いることで、外部に救助等を求めることが可能となる。
【００５６】
【発明の効果】
以上説明したように本発明による鍵によれば、住宅の玄関などの、錠に対して施解錠を行う機能を有するものであることから、この鍵を使用する者は、この鍵を常時所持することとなり、これにより、不測の事態が発生し、災害などに遭遇した際には、この鍵に付加された音響を発する笛の機能を用いることで、外部に救助等を求めることが可能となる効果がある。
【００５７】
また、笛の機能が、人の可聴周波数帯域の音響を発する構成とすることで、緊急時の外部への発信も可能であり、護身用に用いることも可能であり、さらには、犬の可聴周波数帯域の音響を発する構成とすることで、救助犬や警察犬などに対しての発信が可能となり、上記したような救助を行う際に、迅速化が図れることとなる。
【００５８】
さらに、この鍵の構成において、笛部が備えられる操作つまみ部の構造を、鍵本体に対して、後加工にて取り付ける構成とすることで、既存の鍵などに対して、その操作つまみ部分に対して容易に笛部を取り付けることが可能となり、簡単に笛の機能を付加した鍵を得られるという効果がある。
【００５９】
また、この鍵の操作つまみ部に笛部を後加工にて取り付ける構成とすることで、その笛部の表面部分などに所望の意匠を施すことが可能となり、笛としての機能に加えデザイン性も得られるという効果がある。
【図面の簡単な説明】
【図１】
本発明による第１の実施の形態の鍵を示す斜視図
【図２】
本発明による第２の実施の形態の鍵を示す斜視図
【図３】
同第２の実施の形態の鍵の分解斜視図
【図４】
本発明による第３の実施の形態の鍵を示す斜視図
【図５】
同第３の実施の形態の鍵の分解斜視図
【図６】
同第３の実施の形態の他の構成の鍵の斜視図
【図７】
本発明による第４の実施の形態の装身具としてのネクタイピンを示す斜視図
【図８】
本発明による第５の実施の形態の装身具としての腕時計を示す斜視図
【符号の説明】
１…鍵
２…キー本体部
３…中空部
４…吹き口
６…笛部
８…操作つまみ部